(57)【特許請求の範囲】
【請求項１】
番組放送に関係する番組放送データと、前記番組放送を受信する為に必要なデータである受信必要データとが、ディジタルデータとして多重化されたディジタル放送データを受信し、前記ディジタル放送データを処理する、ディジタル放送データ受信装置において、
少なくとも、
前記ディジタル放送データを受信する為の、複数個のディジタル放送データ源からディジタル放送データを受信する、複数個の放送データ受信手段と、
前記放送データ受信手段から出力されるディジタル放送データのうち、視聴者が視聴する番組放送に関係する番組放送データを含んで多重化されたディジタル放送データである視聴番組放送データと、前記視聴番組放送データを出力した前記ディジタル放送データ受信手段とは別の前記放送データ受信手段から出力されるディジタル放送データである受信放送データと、を入力し、前記視聴番組放送データから視聴者が視聴する番組放送に関係する番組放送データを取り出す視聴番組放送データ取出処理と、前記受信放送データから視聴時以外にも取得すべき情報を含むデータを取り出す受信放送データ取出処理と、を時分割多重により処理する並行受信手段と、を備えて構成され、
前記並行受信手段は、少なくとも、
パケット形式で記載された前記番組放送データ、及びパケット形式で記載された前記受信必要データ、を多重した前記ディジタル放送データを、前記ディジタル放送データ源から入力して、これを一時記憶する、複数個の入力記憶手段と、
前記入力記憶手段のいずれかに、１つ以上のパケットが蓄積されると、前記パケットが蓄積された前記入力記憶手段を選択し、そこから蓄積されている前記パケットを取り出す、という作業を順次繰り返すことで、複数の前記入力記憶手段に一時記憶される前記パケットを順次取出す入力選択手段と、
前記入力選択手段により順次取り出された前記パケットのパケット列から、前記視聴番組放送データを収めたパケットと、視聴時以外にも取得すべき情報を含むデータを収めたパケットと、のみを取り出すパケット選別手段と、を備えたこと、
を特徴とする、ディジタル放送データ受信装置。
【請求項２】
請求項１記載のディジタル放送データ受信装置において、
前記ディジタル放送データ源は、前記ディジタル放送データの再生が可能なディジタルデータ再生装置を含み、
前記ディジタルデータ再生装置で再生された前記ディジタル放送データから、視聴者が視聴する番組放送に関係する番組放送データを取り出すものであること、
を特徴とする、ディジタル放送データ受信装置。
【請求項３】
請求項１記載のディジタル放送データ受信装置において、
前記入力選択手段は、
前記入力記憶手段へのデータ書込速度の最大値に、前記入力記憶手段の個数を掛けたることにより得られる値、以上の速度で前記パケットを順次取り出す作業を可能としたこと、
を特徴とする、ディジタル放送データ受信装置。
【請求項４】
請求項１記載のディジタル放送データ受信装置において、
前記入力選択手段は、
前記入力記憶手段に、１つ以上の、前記視聴番組放送データが収められたパケットが蓄積されると、前記視聴番組放送データが収められたパケットを蓄積している入力記憶手段を優先して選択し、これに蓄積された前記視聴番組放送データが収められたパケットを取り出すこと、
を特徴とする、ディジタル放送データ受信装置。
【請求項５】
番組放送に関係する番組放送データと、前記番組放送を受信する為に必要なデータである受信必要データとが、ディジタルデータとして多重化されたディジタル放送データを受信し、前記ディジタル放送データを処理する、ディジタル放送データ受信装置において、
少なくとも、
前記ディジタル放送データを受信する為の、複数個のディジタル放送データ源からディジタル放送データを受信する、複数個の放送データ受信手段と、
前記放送データ受信手段から出力されるディジタル放送データのうち、視聴者が視聴する番組放送に関係する番組放送データを含んで多重化されたディジタル放送データである視聴番組放送データと、前記視聴番組放送データを出力した前記ディジタル放送データ受信手段とは別の前記放送データ受信手段から出力されるディジタル放送データである受信放送データと、を入力し、前記視聴番組放送データから視聴者が視聴する番組放送に関係する番組放送データを取り出す視聴番組放送データ取出処理と、前記受信放送データから視聴時以外にも取得すべき情報を含むデータを取り出す受信放送データ取出処理と、を時分割多重により処理する並行受信手段と、を備えて構成され、
前記並行受信手段は、少なくとも、
パケット形式で記載された前記ディジタル放送データを前記ディジタル放送データ源から入力して、これを一時記憶する、複数個の入力記憶手段と、
前記ディジタル放送データ源から受信したパケットの中から、前記視聴番組放送データを収めたパケットのみを取出し、前記視聴番組放送データ以外のデータを収めたパケットを破棄した時には、前記入力記憶手段に記憶されているパケットを取出し、視聴時以外にも取得すべき情報を収めたパケット以外の不要なパケットを破棄する、不要パケット破棄手段と、を備えたこと、
を特徴とする、ディジタル放送データ受信装置。
【請求項６】
番組放送に関係する番組放送データと、前記番組放送を受信する為に必要なデータである受信必要データとが、ディジタルデータとして多重化されたディジタル放送データを受信し、前記ディジタル放送データを処理する、ディジタル放送データ受信装置において、
少なくとも、
前記ディジタル放送データを受信する為の、複数個のディジタル放送データ源からディジタル放送データを受信する、複数個の放送データ受信手段と、
前記放送データ受信手段から出力されるディジタル放送データのうち、視聴者が視聴する番組放送に関係する番組放送データを含んで多重化されたディジタル放送データである視聴番組放送データと、前記視聴番組放送データを出力した前記ディジタル放送データ受信手段とは別の前記放送データ受信手段から出力されるディジタル放送データである受信放送データと、を入力し、前記視聴番組放送データから視聴者が視聴する番組放送に関係する番組放送データを取り出す視聴番組放送データ取出処理と、前記受信放送データから視聴時以外にも取得すべき情報を含むデータを取り出す受信放送データ取出処理と、を時分割多重により処理する並行受信手段と、を備えて構成され、
前記並行受信手段は、少なくとも、
前記ディジタル放送データを、前記ディジタル放送データ源から受信して、これを一時記憶する、複数個の入力記憶手段と、
前記ディジタル放送データ源から受信した、前記ディジタル放送データの中から、前記視聴番組放送データを収めたパケットのみを取り出してこれを出力し、また前記視聴番組放送データ以外のデータを収めたパケットを破棄し、さらに前記視聴番組放送データ以外のデータを収めたパケットを破棄した時パケット破棄情報を出力する、パケット取捨選択手段と、
前記パケット破棄情報が入力されると、前記パケットを１つ以上記憶している前記入力記憶手段を選択し、そこに蓄積されている１つ以上の前記パケットを前記入力記憶手段から出力させ、出力させた１つ以上の前記パケットの中から、視聴時以外にも取得すべき情報を含むパケットを取り出す、前記入力記憶手段に対応して設けられている１つ又は複数個の必要パケット選別手段と、
前記パケット破棄情報を受けると、前記パケット取捨選択手段により、不要なパケットが破棄されて必要なパケットだけを出力しようとしている前記必要パケット選別手段を選択し、前記必要なパケットを取出して出力する、パケット取出出力手段と、を備えたこと、
を特徴とする、ディジタル放送データ受信装置。
【請求項７】
番組放送に関係する番組放送データと、前記番組放送を受信する為に必要なデータである受信必要データとが、ディジタルデータとして多重化されたディジタル放送データを受信し、前記ディジタル放送データを処理する、ディジタル放送データ受信装置において、
少なくとも、
前記ディジタル放送データを受信する為の、複数個のディジタル放送データ源からディジタル放送データを受信する、複数個の放送データ受信手段と、
前記放送データ受信手段から出力されるディジタル放送データのうち、視聴者が視聴する番組放送に関係する番組放送データを含んで多重化されたディジタル放送データである視聴番組放送データと、前記視聴番組放送データを出力した前記ディジタル放送データ受信手段とは別の前記放送データ受信手段から出力されるディジタル放送データである受信放送データと、を入力し、前記視聴番組放送データから視聴者が視聴する番組放送に関係する番組放送データを取り出す視聴番組放送データ取出処理と、前記受信放送データから視聴時以外にも取得すべき情報を含むデータを取り出す受信放送データ取出処理と、を時分割多重により処理する並行受信手段と、を備えて構成され、
前記並行受信手段は、少なくとも、
前記ディジタル放送データ受信装置が受信する前記ディジタル放送データの中から、前記視聴番組放送データを収めたパケットのみを取り出してこれを出力し、また前記視聴番組放送データ以外のデータを収めたパケットを破棄し、さらに前記視聴番組放送データ以外のデータを収めたパケットを破棄した時パケット破棄情報を出力する、パケット取捨選択手段と、
前記ディジタル放送データ源から受信される前記ディジタル放送データから、視聴時以外にも取得すべき情報を含むディジタル放送データを収めたパケットのみを取り出す、１つ又は複数個の所望パケット選別手段と、
前記所望パケット選別手段から出力される、前記視聴時以外にも取得すべき情報を含むパケットを一時記憶する、前記所望パケット選別手段に対応して設けられた、１つ又は複数個の所望パケット入力記憶手段と、
前記パケット破棄情報を受けると、前記パケット取捨選択手段により不要なパケットが破棄されて必要なパケットだけが蓄積されている前記所望パケット入力記憶手段を選択し、選択された前記所望パケット入力記憶手段に蓄積されている前記パケットを取り出して出力する、所望パケット取出出力手段と、を備えたこと、
を特徴とする、ディジタル放送データ受信装置。
【発明の詳細な説明】
【０００１】
【発明の属する技術分野】
本発明は、ディジタル放送データを受信する為の複数個のディジタル放送データ源から、同時に複数個のディジタル放送データを入力し、入力したディジタル放送データに記録された内容を、外部に接続したテレビジョン受像機等の表示装置に表示する、ディジタル放送データ受信装置に関する。
【０００２】
【従来の技術】
今日、ディジタル放送の一形態である、一度に多数の情報を送信できるディジタルテレビジョン放送（以下、単に「ディジタル放送」とする。）が注目され、これは既に衛星放送によるディジタル放送として実用化されている。また、今後、地上波テレビジョン放送のディジタル化や、衛星放送における複数の放送事業者によるディジタル放送など、様々な放送事業者による、様々な伝送形態を用いたディジタル放送が併存することが予想される。しかし、ディジタル放送を受信するためのディジタル放送データ受信装置（以下、単に「受信装置」とする。）は、受信装置の有する回路規模が大きいことより、受信装置自体の大きさが大きく、また多数の部品を用いるため、価格が高いものである。そこで、多数のディジタル放送が併存するような状態になった場合、複数のディジタル放送を１台の受信装置で受信できることが好ましい。
【０００３】
ところでディジタル放送においては、ほとんどの場合、国際標準であるＭＰＥＧ（Ｍｏｖｉｎｇ  Ｐｉｃｔｕｒｅ  Ｅｘｐｅｒｔｓ  Ｇｒｏｕｐ）システム規格に準拠したパケット形式のデータ伝送方法を採用し、不正な視聴を防止するため、映像や音声等の、いわゆる番組放送に関係する番組放送データを暗号化することが行われている。
また、従来のアナログ放送とは異なり、様々な情報、例えば上述の暗号化されている番組放送データの暗号解読のための鍵情報等の個別情報や、番組表、視聴者へのメール等の、番組放送データ以外の番組放送を受信する為に必要なデータである受信必要データが、番組放送データに多重して伝送される。
【０００４】
このような暗号解読のための鍵情報や視聴者宛のメールなどのデータであって、視聴時以外にも取得すべき情報は、実際にはいつ伝送されるかわからないので、番組放送を視聴していない時や、番組放送データを受信し、これを視聴している時であっても、常時継続して放送を受信し続けなければならない。
また、番組表データの更新もいつ行われるかわからないため、ディジタル放送データに多重化されて送信される受信必要データに含まれている番組表データは、常に受信し、また受信した時には、受信装置が記憶している番組表情報を即座に更新することが望ましい。
さらには、多数のディジタル放送が併存するようになると、例えばある番組を視聴している時に、その時間帯に放送されている別の放送の番組を受信し録画できること、いわゆる裏番組録画が出来ることが望まれる。
【０００５】
即ち、ディジタル放送を受信出来、また受信したディジタル放送データをディジタルＶＴＲ用記録媒体（以下、単に「記録媒体」とする。）に記録し、ディジタル放送データが記録された記録媒体を再生することが可能なディジタルＶＴＲであれば、記録媒体に記録されたディジタル放送データを再生している間であっても、例えば衛星放送などで放送される視聴者宛のメールや、ディジタルＶＴＲの再生を終えた後に、送信されてくるディジタル放送の視聴を再開した時に必要な暗号解読のための鍵情報、等の受信すべき情報を取得できるので、いわゆる裏番組録画等が可能となる。
【０００６】
【発明が解決しようとする課題】
ところが、現在の受信装置では、ある一つの放送のみを受信するように設計されており、受信中の放送以外の放送を同時に受信することはできないので、問題であった。
そこで、複数のディジタル放送を受信出来る受信装置を設計するにあたり、一つのディジタル放送を受信し、一旦この受信を中断し、別のディジタル放送を受信、視聴し終えた後、先にじゅしんしていたディジタル放送の視聴を再開したとき、視聴を再開したディジタル放送に必要な情報が不足していたり、メールとして送られた情報を取りこぼすことがないように、一つの放送を受信して視聴しているときでも、その他のディジタル放送に多重された、視聴者が受信する事を所望したり、また非視聴時にも取得しなければならない各種情報を取得出来るようにすることが望まれている。
【０００７】
また、上述のディジタルＶＴＲの場合であれば、各伝送路や各放送事業者などによるディジタル放送を専用に受信する受信機の回路や、ディジタルＶＴＲで再生されたデータから番組データを取り出して処理する回路を積んで、複数の伝送路や放送事業者などによるディジタル放送、又はディジタルＶＴＲなどの複数のディジタル放送入力源からのディジタルデータを入力して表示する受信装置を構成することが考えられる。
【０００８】
しかしながら、アナログ放送の場合であれば、アナログ放送受信装置は比較的簡単な回路で設計可能なので、その単体としての大きさもさほど大きくならず、１つのアナログ放送受信装置に複数個積むことも簡単であり、またそのコストも低いもので出来るが、ディジタル放送データの受信装置の場合、複雑な受信回路のため、単に複数個積んでいくと、それに連れて受信機のコストも上がってしまい、各放送専用の受信機を複数個購入する場合と比較して、回路規模が同等でコストも変わらないという問題点がある。また回路規模が大きくなるので、複数のディジタル放送を受信可能としようとすれば、受信装置単体の大きさも大きくなってしまい、問題であった。
【０００９】
そこで本発明は、かかる問題点に鑑みてなされたものであり、その目的は、回路規模を抑えつつ、ディジタル放送データを受信する複数の入力源からディジタル放送データを同時に入力可能とし、入力源のうちの１つから受信するディジタル放送データに記載された、例えばテレビジョン番組等の情報を、外部に接続したテレビジョン受像機に表示すると同時に、その他の入力源から受信したディジタル放送データに含まれるデータから視聴時以外にも取得すべき情報を取り出すことを可能とした、ディジタル放送データ受信装置を提供することである。
【００１０】
【課題を解決するための手段】
上記課題を解決するために、本発明の請求項１に係るディジタル放送データ受信装置は、番組放送に関係する番組放送データと、前記番組放送を受信する為に必要なデータである受信必要データとが、ディジタルデータとして多重化されたディジタル放送データを受信し、前記ディジタル放送データを処理する、ディジタル放送データ受信装置において、少なくとも、前記ディジタル放送データを受信する為の、複数個のディジタル放送データ源からディジタル放送データを受信する、複数個の放送データ受信手段と、前記放送データ受信手段から出力されるディジタル放送データのうち、視聴者が視聴する番組放送に関係する番組放送データを含んで多重化されたディジタル放送データである視聴番組放送データと、前記視聴番組放送データを出力した前記ディジタル放送データ受信手段とは別の前記放送データ受信手段から出力されるディジタル放送データである受信放送データと、を入力し、前記視聴番組放送データから視聴者が視聴する番組放送に関係する番組放送データを取り出す視聴番組放送データ取出処理と、前記受信放送データから視聴時以外にも取得すべき情報を含むデータを取り出す受信放送データ取出処理と、を時分割多重により処理する並行受信手段と、を備えて構成され、前記並行受信手段は、少なくとも、パケット形式で記載された前記番組放送データ、及びパケット形式で記載された前記受信必要データ、を多重した前記ディジタル放送データを、前記ディジタル放送データ源から入力して、これを一時記憶する、複数個の入力記憶手段と、前記入力記憶手段のいずれかに、１つ以上のパケットが蓄積されると、前記パケットが蓄積された前記入力記憶手段を選択し、そこから蓄積されている前記パケットを取り出す、という作業を順次繰り返すことで、複数の前記入力記憶手段に一時記憶される前記パケットを順次取出す入力選択手段と、前記入力選択手段により順次取り出された前記パケットのパケット列から、前記視聴番組放送データを収めたパケットと、視聴時以外にも取得すべき情報を含むデータを収めたパケットと、のみを取り出すパケット選別手段と、を備えたことを特徴とする。
【００１１】
本発明の請求項２に記載のディジタル放送データ受信装置では、請求項１記載のディジタル放送データ受信装置において、前記ディジタル放送データ源は、前記ディジタル放送データの再生が可能なディジタルデータ再生装置を含み、前記ディジタルデータ再生装置で再生された前記ディジタル放送データから、視聴者が視聴する番組放送に関係する番組放送データを取り出すものであること、を特徴とする。
【００１３】
本発明の請求項３に記載のディジタル放送データ受信装置では、請求項１記載のディジタル放送データ受信装置において、前記入力選択手段は、前記入力記憶手段へのデータ書込速度の最大値に、前記入力記憶手段の個数を掛けたることにより得られる値、以上の速度で前記パケットを順次取り出す作業を可能としたこと、を特徴とする。
【００１４】
本発明の請求項４に記載のディジタル放送データ受信装置では、請求項１記載のディジタル放送データ受信装置において、前記入力選択手段は、前記入力記憶手段に、１つ以上の、前記視聴番組放送データが収められたパケットが蓄積されると、前記視聴番組放送データが収められたパケットを蓄積している入力記憶手段を優先して選択し、これに蓄積された前記視聴番組放送データが収められたパケットを取り出すこと、を特徴とする。
【００１５】
本発明の請求項５に記載のディジタル放送データ受信装置では、番組放送に関係する番組放送データと、前記番組放送を受信する為に必要なデータである受信必要データとが、ディジタルデータとして多重化されたディジタル放送データを受信し、前記ディジタル放送データを処理する、ディジタル放送データ受信装置において、少なくとも、前記ディジタル放送データを受信する為の、複数個のディジタル放送データ源からディジタル放送データを受信する、複数個の放送データ受信手段と、前記放送データ受信手段から出力されるディジタル放送データのうち、視聴者が視聴する番組放送に関係する番組放送データを含んで多重化されたディジタル放送データである視聴番組放送データと、前記視聴番組放送データを出力した前記ディジタル放送データ受信手段とは別の前記放送データ受信手段から出力されるディジタル放送データである受信放送データと、を入力し、前記視聴番組放送データから視聴者が視聴する番組放送に関係する番組放送データを取り出す視聴番組放送データ取出処理と、前記受信放送データから視聴時以外にも取得すべき情報を含むデータを取り出す受信放送データ取出処理と、を時分割多重により処理する並行受信手段と、を備えて構成され、前記並行受信手段は、少なくとも、パケット形式で記載された前記ディジタル放送データを前記ディジタル放送データ源から入力して、これを一時記憶する、複数個の入力記憶手段と、前記ディジタル放送データ源から受信したパケットの中から、前記視聴番組放送データを収めたパケットのみを取出し、前記視聴番組放送データ以外のデータを収めたパケットを破棄した時には、前記入力記憶手段に記憶されているパケットを取出し、視聴時以外にも取得すべき情報を収めたパケット以外の不要なパケットを破棄する、不要パケット破棄手段と、を備えたことを特徴とする。
【００１６】
本発明の請求項６に記載のディジタル放送データ受信装置では、番組放送に関係する番組放送データと、前記番組放送を受信する為に必要なデータである受信必要データとが、ディジタルデータとして多重化されたディジタル放送データを受信し、前記ディジタル放送データを処理する、ディジタル放送データ受信装置において、少なくとも、前記ディジタル放送データを受信する為の、複数個のディジタル放送データ源からディジタル放送データを受信する、複数個の放送データ受信手段と、前記放送データ受信手段から出力されるディジタル放送データのうち、視聴者が視聴する番組放送に関係する番組放送データを含んで多重化されたディジタル放送データである視聴番組放送データと、前記視聴番組放送データを出力した前記ディジタル放送データ受信手段とは別の前記放送データ受信手段から出力されるディジタル放送データである受信放送データと、を入力し、前記視聴番組放送データから視聴者が視聴する番組放送に関係する番組放送データを取り出す視聴番組放送データ取出処理と、前記受信放送データから視聴時以外にも取得すべき情報を含むデータを取り出す受信放送データ取出処理と、を時分割多重により処理する並行受信手段と、を備えて構成され、前記並行受信手段は、少なくとも、前記ディジタル放送データを、前記ディジタル放送データ源から受信して、これを一時記憶する、複数個の入力記憶手段と、前記ディジタル放送データ源から受信した、前記ディジタル放送データの中から、前記視聴番組放送データを収めたパケットのみを取り出してこれを出力し、また前記視聴番組放送データ以外のデータを収めたパケットを破棄し、さらに前記視聴番組放送データ以外のデータを収めたパケットを破棄した時パケット破棄情報を出力する、パケット取捨選択手段と、前記パケット破棄情報が入力されると、前記パケットを１つ以上記憶している前記入力記憶手段を選択し、そこに蓄積されている１つ以上の前記パケットを前記入力記憶手段から出力させ、出力させた１つ以上の前記パケットの中から、視聴時以外にも取得すべき情報を含むパケットを取り出す、前記入力記憶手段に対応して設けられている１つ又は複数個の必要パケット選別手段と、前記パケット破棄情報を受けると、前記パケット取捨選択手段により、不要なパケットが破棄されて必要なパケットだけを出力しようとしている前記必要パケット選別手段を選択し、前記必要なパケットを取出して出力する、パケット取出出力手段と、を備えたことを特徴とする。
【００１７】
本発明の請求項７に記載のディジタル放送データ受信装置では、番組放送に関係する番組放送データと、前記番組放送を受信する為に必要なデータである受信必要データとが、ディジタルデータとして多重化されたディジタル放送データを受信し、前記ディジタル放送データを処理する、ディジタル放送データ受信装置において、少なくとも、前記ディジタル放送データを受信する為の、複数個のディジタル放送データ源からディジタル放送データを受信する、複数個の放送データ受信手段と、前記放送データ受信手段から出力されるディジタル放送データのうち、視聴者が視聴する番組放送に関係する番組放送データを含んで多重化されたディジタル放送データである視聴番組放送データと、前記視聴番組放送データを出力した前記ディジタル放送データ受信手段とは別の前記放送データ受信手段から出力されるディジタル放送データである受信放送データと、を入力し、前記視聴番組放送データから視聴者が視聴する番組放送に関係する番組放送データを取り出す視聴番組放送データ取出処理と、前記受信放送データから視聴時以外にも取得すべき情報を含むデータを取り出す受信放送データ取出処理と、を時分割多重により処理する並行受信手段と、を備えて構成され、前記並行受信手段は、少なくとも、前記ディジタル放送データ受信装置が受信する前記ディジタル放送データの中から、前記視聴番組放送データを収めたパケットのみを取り出してこれを出力し、また前記視聴番組放送データ以外のデータを収めたパケットを破棄し、さらに前記視聴番組放送データ以外のデータを収めたパケットを破棄した時パケット破棄情報を出力する、パケット取捨選択手段と、前記ディジタル放送データ源から受信される前記ディジタル放送データから、視聴時以外にも取得すべき情報を含むディジタル放送データを収めたパケットのみを取り出す、１つ又は複数個の所望パケット選別手段と、前記所望パケット選別手段から出力される、前記視聴時以外にも取得すべき情報を含むパケットを一時記憶する、前記所望パケット選別手段に対応して設けられた、１つ又は複数個の所望パケット入力記憶手段と、前記パケット破棄情報を受けると、前記パケット取捨選択手段により不要なパケットが破棄されて必要なパケットだけが蓄積されている前記所望パケット入力記憶手段を選択し、選択された前記所望パケット入力記憶手段に蓄積されている前記パケットを取り出して出力する、所望パケット取出出力手段と、を備えたことを特徴とする。
【００１８】
【発明の実施の形態】
以下、本発明の実施の形態について図面を参照しながら説明する。尚、ここで示す実施の形態はあくまでも一例であって、必ずしもこの実施の形態に限定されるものではない。また以下の説明において、ディジタル放送データは、国際標準であるＭＰＥＧシステム規格に準拠したパケット形式のデータ伝送方法を採用しているものとする。さらにディジタル放送データは、番組放送に関連する番組放送データと、それ以外の、例えば番組放送を視聴する為に必要な鍵情報等を含む個別情報や、番組表、メール等のデータを含む受信必要データと、から構成されており、これらのデータはすべて上述のパケットに収められているものとする。
【００１９】
（実施の形態１）
まず、本発明に係る受信装置３００を第１の実施の形態として、図面を参照しつつ説明する。
図１は、受信装置３００の構成を示すブロック図である。
図１に示す通り、受信装置３００は、第１の受信回路３１０、第２の受信回路３２０、パケット並行受信回路３４０、メモリアクセス回路３５０、メモリ３６０、ＣＰＵ３７０、ＡＶ伸張回路３８０、とを備えている。また、第１の受信回路３１０はディジタル衛星放送アンテナ１００と、第２の受信回路３２０はディジタルＶＴＲ２００と接続している。さらに、ＡＶ伸張回路３８０は、テレビ受像機４００と接続している。
【００２０】
これらの各部材について簡単に説明する。
ディジタル衛星放送アンテナ１００は衛星放送の放送データを受信する。ディジタルＶＴＲ２００は、ディジタル放送データ（以下、単に「放送データ」とする。）を記録媒体に記録し、また放送データが記録された記録媒体より放送データを再生する。
受信装置３００は、ディジタル衛星放送アンテナ１００より受信された放送データを受信装置３００に入力すると同時に、ディジタルＶＴＲ２００で再生される放送データを入力し、これらの放送データを並行して処理する。
第１受信回路３１０は、ディジタル衛星放送アンテナ１００から受信した放送データを受信データＢとしてパケット並行受信回路３４０に出力する。
第２受信回路３２０は、ディジタルＶＴＲ２００から受信した放送データを番組データＡとしてパケット並行受信回路３４０に出力する。
【００２１】
ここで、以下の説明において、番組データＡは視聴者が視聴する番組放送に関連した番組放送データが多重された視聴番組放送データ、受信データＢは、例えば暗号解除の為の鍵情報や、視聴者が別の時間に視聴する番組放送に関連したデータ等、要するに上述の視聴番組放送データ以外の、受信装置３００で受信される放送データである受信放送データを指すものとする。
【００２２】
パケット並行受信回路３４０は、第１受信回路３１０から受信する受信データＢ、及び第２受信回路３２０から受信する番組データＡから、それぞれ必要なデータを並行して取り出して出力する。この必要なデータの取出しについては後述する。
メモリアクセス回路３５０は、パケット並行受信回路３４０から出力されたデータをメモリ３６０に書き込み記録する。
メモリ３６０は、パケット並行受信回路３４０から出力されるデータを、メモリアクセス回路３５０の指示により書き込み記録する。
ＣＰＵ３７０は、パケット並行受信回路３４０、メモリアクセス回路３５０、及びメモリ３６０に動作指示を与える。
ＡＶ伸張回路３８０は、メモリアクセス回路３５０を介してメモリ３６０に記録された映像データや音声データを読み出し、映像信号や音声信号に再生、即ち伸張して出力する。
テレビ受像機４００は、ＡＶ伸張回路３８０で再生された映像信号や音声信号などを表示出力する。
【００２３】
ここで、パケット並行受信回路３４０について、図面を参照しつつ説明する。
図２は、図１に示したパケット並行受信回路３４０の詳細な構成例を示すブロック図である。
図２に示す通り、このパケット並行受信回路３４０は、第１の入力ＦＩＦＯ３４１、第２の入力ＦＩＦＯ３４２、入力選択回路３４３、パケット選別回路３４４、データ抽出回路３４５、より構成されている。
【００２４】
これらの各部材について簡単に説明する。
第１の入力ＦＩＦＯ３４１は、第１の受信回路３１０から入力される受信データＢを順次記憶する。
第２の入力ＦＩＦＯ３４２は、第２の受信回路３２０から入力される番組データＡを順次記憶する。
尚、第１のＦＩＦＯ３４１、及び第２のＦＩＦＯは、それぞれ１パケット以上のデータが蓄積されると入力選択回路３４３に読み出し要求を出す。
入力選択回路３４３は、第１のＦＩＦＯ３４１、及び第２のＦＩＦＯ３４２からの読み出し要求に応じ、それぞれ第１のＦＩＦＯ３４１から受信データＢを、第２のＦＩＦＯから番組データＡを入力し、これらをパケット選別回路３４４に出力する。
パケット選別回路３４４は、番組データＡから視聴者が視聴する番組放送に関連する番組放送データが収められたパケットを、受信データＢから視聴時以外にも受信し取得すべき受信必要データが収められたパケットを選別する。
データ抽出回路３４５は、パケット選別回路３４４で選別されたパケットから映像情報や音声情報、受信必要データを取り出したり、暗号解読などを行う。
【００２５】
ここで、上述の受信必要データには、例えば暗号解読用の鍵情報等の個別情報や、視聴者宛のメール等の、視聴時以外であっても必要とされるデータが格納されている。従って、ディジタル放送番組を視聴していない場合であっても、ディジタル放送データを受信して、受信必要データを取得する必要がある。そこで、本実施の形態における受信装置３００では、上述のパケット並行受信回路３４０によって、ディジタル放送番組を視聴している間であっても、視聴しているディジタル放送番組に関する視聴番組放送データ以外の、受信放送データを受信し、そのデータの処理を可能としている。
【００２６】
そこで次に、本実施の形態に係る受信装置３００の動作について、図面を参照しつつ説明する。
尚、図３は、図２に示したパケット並行受信回路３４０の動作の説明図であるが、図３において、番組データＡは、説明のため、「番組１」、「番組２」、及び「番組３」のパケットからなる放送データとして簡略化して示したが、詳しくは、「番組１」、「番組２」、及び「番組３」のそれぞれに対応して、番組を表示するために必要な鍵情報などの個別情報のパケットを含む。また、各番組は、映像及び音声のパケットからなる。また、以下の説明では、受信データＢに「個別情報」が含まれているものとして説明するが、これ以外に、例えばメールや番組表が含まれる、としてあっても構わない。
【００２７】
またここでは、ディジタル衛星放送アンテナ１００、及びディジタルＶＴＲ用記録媒体からの放送データを同時に受信する場合、即ちディジタルＶＴＲを再生している際に、ディジタル衛星放送から送信される放送データの中から視聴時以外にも取得すべき情報を受信する場合について説明する。
まず最初に、ディジタルＶＴＲ２００で再生された放送データは、受信装置３００の第２の受信回路３２０に入力される。また、ディジタル衛星放送アンテナ１００で受信された放送データは、受信装置３００の第１の受信回路３１０に入力される。
【００２８】
次いで、第１の受信回路３１０は、入力された放送データを、受信データＢとして、また第２の受信回路３２０は、入力された放送データを、番組データＡとしてパケット並行受信回路３４０へ出力する。例えば、図３のように、「番組１」、「番組２」、「番組３」というパケットが順不同に並べられた番組データＡとして、また「個別情報」、「番組４」、「番組５」というパケットが順不同に並べられた受信データＢとして、出力される。
【００２９】
パケット並行受信回路３４０では、第１の受信回路３１０から入力された受信データＢを第１の入力ＦＩＦＯ３４１に、第２の受信回路３２０から入力された番組データＡを第２の入力ＦＩＦＯ３４２に、順次入力し、記憶させる。
第１のＦＩＦＯ３４１、及び第２のＦＩＦＯ３４２それぞれに、１パケット以上のデータが蓄積されると、第１のＦＩＦＯ３４１及び第２のＦＩＦＯ３４２は、入力選択回路３４３に対して読み出し要求を出す。
【００３０】
入力選択回路３４３は、第１のＦＩＦＯ３４１からの読み出し要求に応じ、受信データＢのパケットを第１の入力ＦＩＦＯ３４１から読み出し、また、第２のＦＩＦＯ３４２からの読み出し要求に応じ、番組データＡのパケットを第２の入力ＦＩＦＯ３４２から読み出し、これらをパケット選別回路３４４に出力する。このとき、出力されるパケットは、ＰＩＤ（パケット識別子）によってのみ区別され、異なるディジタル放送入力源からの同じＰＩＤを有するパケットは区別できないので、入力選択回路３４３は、読み出すパケットがいずれのディジタル放送入力源からのものか区別して出力する。
【００３１】
尚、パケットの読み出し速度は、第１のＦＩＦＯ３４１または第２のＦＩＦＯ３４２へのデータ書き込み速度のうち、速い方の２倍以上とする。これによれば、番組データＡ及び受信データＢの双方のパケットを漏れなく読み出すことができる。或いは、第２のＦＩＦＯ３４２からの読み出しを第１のＦＩＦＯ３４１に優先すれば、読み出し速度を上記のように速い方の２倍以上とまでしなくても、番組データＡのパケットについては漏れなく読み出して、番組を表示することができる。受信データＢのパケットについては、漏れなく読み出せないが、一般に、個別情報が格納されたパケットは、同じ内容のパケットについて繰り返し送信されるので、多少の取りこぼしがあっても問題になることは考えにくい。
【００３２】
パケット並行受信回路３４０では、図３において第１の入力ＦＩＦＯの出力Ｃ、第２の入力ＦＩＦＯの出力Ｄ、及び入力選択回路の出力Ｅが示すように、第１の入力ＦＩＦＯ３４１に「番組１」のパケットのデータが蓄積されると、入力選択回路３４３は、読み出し要求に応じ、「番組１」のパケットを読み出して出力し、次に、第２の入力ＦＩＦＯ３４２に「個別情報」のパケットのデータが蓄積されて、読み出し要求が出されると、入力回路３４３は、「個別情報」のパケットを読み出して出力する。従って、入力選択回路３４３からは、第１の入力ＦＩＦＯ３４１及び第２の入力ＦＩＦＯ３４２から読み出されたパケットが時間的に多重されて出力される。
【００３３】
次いで、パケット選別回路３４４は、番組データＡから視聴対象番組に関連するパケット、すなわち視聴者が視聴する番組に関する映像情報及び音声情報、即ち番組放送データの収められたパケット、並びに視聴者が視聴する番組にかけられている暗号を解読する為の鍵情報を収めたパケット等の視聴者が視聴する番組に関する情報、即ち個別情報を収めたパケットを、受信データＢの中から選別して出力する。例えば、図３において、入力選択回路の出力Ｅ、及びパケット選別回路の出力Ｆが示すように、番組データＡの「番組１」、「番組２」、「番組３」に関するパケットがランダムに並べられた中から、視聴対象番組（ここでは「番組１」とする。）の情報が収められたパケットと、受信データＢの「個別情報」、「番組４」、「番組５」に関するパケットがランダムに並べられた中から、「個別情報」の情報が収められたパケットを選別して出力する。尚、視聴者が視聴する番組は、ＣＰＵ３７０によってパケット並行受信回路３４０のパケット選別回路３４４に指示される。
【００３４】
データ抽出回路３４５は、上述のようにしてパケット選別回路３４０で選別された番組放送データを収めたパケットから映像情報や音声情報などを取り出し、個別情報を収めたパケットからは個別情報を取り出して、メモリアクセス回路３５０に出力する。また暗号化されている映像情報や音声情報の暗号を解除するには、ＣＰＵ３７０により設定された暗号解読用鍵を使用して暗号を解除した上でメモリアクセス回路３５０に出力する。
メモリアクセス回路３５０は、データ抽出回路３４５で取り出された、視聴者が視聴する番組に関する番組放送データ及び個別情報を、メモリ３６０に記憶させる。
【００３５】
ＡＶ伸張回路３８０は、メモリ３６０に記録された映像情報や音声情報の番組放送データをメモリアクセス回路３５０を介して読み出し、これらを伸張処理してテレビ受像機４００に出力する。
テレビ受像機４００は、ＡＶ伸張回路３８０で伸張処理された映像信号及び音声信号を表示出力する。
また、ＣＰＵ３７０は視聴者の操作に応じて、メモリ３６０に記録されたメール情報や受信装置３００の動作に関連する情報をメモリアクセス回路３５０を介して読み出し、これをＡＶ伸張回路３８０で再生して、テレビ受像機４００で表示する。
【００３６】
尚、ディジタルＶＴＲ２００の再生を終了して、ディジタル衛星放送をディジタル衛星放送アンテナ１００を介して受信する際、ＣＰＵ３７０は、メモリアクセス回路３５０を介してメモリ３６０に記録された暗号解読のための鍵情報を読み出して、暗号化されたディジタル衛生放送アンテナ１００を介して受信するディジタル放送に対して用いられている暗号の解読に使用することが出来る。
【００３７】
このように、本実施の形態による受信装置３００は、２系統のディジタル放送データ源からの放送データを受信して、パケット並行受信回路３４０において、２系統のディジタル放送データ源からの放送データを入力して一時記憶する２つの入力ＦＩＦＯ３４１、３４２のうち、１つ以上のパケットが蓄積された２つの入力ＦＩＦＯ３４１、３４２から、入力選択回路３４３が順次パケットを取り出し、その中からパケット選別回路３４４が視聴対象の番組に関係する情報及び個別情報を収めたパケットのみを取り出すものとしたから、視聴者が視聴を希望する番組放送をテレビ受像機４００に表示してこれを視聴すると同時に、視聴していないディジタル放送、ここではディジタル衛星放送アンテナ１００を介して受信するディジタル放送により送信される暗号解読鍵や視聴者宛のメールなどのような、視聴時以外にも取得する必要のある受信必要データを取得して、視聴していなかったディジタル放送の視聴を再開した時、視聴に必要な情報が不足していたり、視聴していないディジタル放送から送信されるメールを取りこぼすなどの事態を回避することが出来る。
【００３８】
また、上述の視聴対象の番組に関する情報を取り出す放送データは、ディジタルＶＴＲ２００で再生されたものとしたから、ディジタルＶＴＲ用記録媒体に記録された放送データに含まれる視聴番組を表示して視聴すると同時に、視聴していないディジタル放送により放送される取得すべき情報を取得して、ディジタル放送の視聴を再開した時に、視聴に必要な情報が不足していたり、ディジタルＶＴＲ２００で再生された番組を視聴中にディジタル放送から送信されるメールを取りこぼすなどの事態を回避することができる。
また、上述の入力選択回路３４３は、２つの入力ＦＩＦＯ３４１、３４２のうち、書き込み速度の速い方の２倍以上の高速で読み出すものとしたから、入力される２系統のデータから取り出すべきパケットを取りこぼすことがない。
また、入力選択手段である上述の入力選択回路３４３は、番組放送データが一時記憶される入力記憶手段である２つの入力ＦＩＦＯ３４１、３４２に、１つ以上のパケットが蓄積されている時、当該入力記憶手段を優先して選択して、そこに蓄積されたパケットを取り出すものとしたから、視聴対象の番組に関する情報のパケットについて漏れなく読み出して、番組を表示することができる。
【００３９】
そして、他の放送データの受信中に受信取得した番組表や個人宛のメール等の受信必要データは、この番組の視聴を終え、もう一方の放送データの受信時にＣＰＵが受信機を制御するためや、視聴者に番組表やメール等を提示する為に使うことが出来るだけでなく、他の放送の視聴中であっても、受信したもう一方の放送の最新番組表や、視聴者宛メールを、視聴中の番組に重ねて、又は視聴中の番組の画面表示を一時停止して、これらを提示することも考えられる。
【００４０】
尚、本実施の形態においては、ディジタルＶＴＲを再生する際に、ディジタル衛星放送により送られる情報を並行して受信する場合を説明したが、ディジタルＶＴＲの再生に限定されるものではなく、ディジタル放送を視聴しながら他のディジタル放送により送られる情報を並行受信する場合にも適用可能であるとともに、これら２系統のディジタル放送入力源からの放送データを並行して受信する場合に限るものでなく、３つ以上のディジタル放送入力源からの放送データの並行受信についても、３つ以上の入力ＦＩＦＯを設け入力選択回路を３入力以上に対応させることにより、３つ以上の放送データを並行受信して、同様の効果を得ることができる。尚、入力選択回路は、複数の入力ＦＩＦＯへの書き込み速度の最大値に入力ＦＩＦＯの数を掛けたデータ読み出し速度でデータを読み出すことで、パケットを取りこぼすことを回避できる。
【００４１】
また、本実施の形態においては、ディジタル放送に含まれ、そのディジタル放送の番組を視聴していない場合でも取得すべき情報が、個別情報である場合を説明したが、これは個別情報に限定されるものではなく、番組表など、ディジタル放送データ受信装置の動作に必要な情報を他の放送データを視聴中に受信して取得するものであってもよい。
【００４２】
また、本実施の形態においては、図２で示したパケット並行受信回路３４０内の、入力受信データを記憶する入力ＦＩＦＯを、第１の受信回路３１０から入力される受信データＢを順次記憶する第１の入力ＦＩＦＯ３４１、及び第２の受信回路３２０から入力される番組データＡを順次記憶する第２の入力ＦＩＦＯ３４２の、２つの分離した入力ＦＩＦＯとして説明したが、２つの入力ＦＩＦｏを実現する方法として、物理的に１つのメモリを使用し、この中の２つの入力ＦＩＦＯ用記憶領域として、第１の入力ＦＩＦＯ３４１と、第２の入力ＦＩＦＯ３４２を実現することも考えられる。さらに３つ以上のディジタル放送入力源から放送データを並行受信する場合にも、入力される放送データを一時記憶する入力ＦＩＦＯを、１つのメモリの中の３つ以上のＦＩＦＯ領域として実現することも考えられる。
【００４３】
（実施の形態２）
次に、先述の受信装置３００に、入力切替回路５３０を加え、またパケット並行受信回路の構成を一部変えた受信装置５００を、第２の実施の形態として、図面を参照しつつ説明する。
図４は、受信装置５００の構成を示すブロック図である。
図において、図１と同一符号は同一または相当部分であるので、その説明は省略し、その他の構成部材について簡単に説明する。
第１の受信回路５１０は、ディジタル衛星放送アンテナで受信した放送データを入力切替回路５３０に出力する。
第２の受信回路５２０は、ディジタルＶＴＲ２００で再生された放送データを入力切替回路５３０に出力する。
【００４４】
入力切替回路５３０は、第１の受信回路５１０、及び第２の受信回路５２０から出力された２つの放送データを入力し、この内、視聴対象の放送データ入力を番組データＡとして、またもう一方の入力を受信データＢとして、パケットへ憩う受信回路５４０に出力する。尚、本実施の形態では、入力切替回路５３０は、ディジタルＶＴＲ２００から出力された視聴対象番組を含む放送データを番組データＡとして、ディジタル衛星放送アンテナ１００から受信した放送データを受信データＢとして出力する。
パケット並行受信回路５４０は、入力切替回路５３０から、受信データＢ及び番組データＡを並行して取り出して、メモリアクセス回路３５０に出力する。
【００４５】
次に、パケット並行受信回路５４０について説明する。
図５は、図４に示したパケット並行受信回路５４０の詳細な構成例を示すブロック図である。以下、各構成部材について、簡単に説明する。
入力ＦＩＦＯ５４１は、入力切替回路５３０から出力される受信データＢを順次記憶する。尚、入力ＦＩＦＯ５４１は、２パケット程度のデータを蓄積できるものとする。
入力選択回路５４２は、通常状態で、入力切替回路５３０から番組データＡを入力して出力し、後述するパケット選別結果信号を受けたときには、入力ＦＩＦＯ５４１から受信データＢを入力して出力する。
パケット選別回路５４３は、入力選択回路５４２から出力される番組データＡから視聴番組に関連する番組放送データを収めたパケットを、受信データＢから視聴番組のパケットなどの、受信すべき情報を収めたパケットを選別する。
データ抽出回路５４４は、パケット選別回路５４３で選別されたパケットから映像情報や音声情報、受信必要データを取り出したり、暗号解読などを行う。
【００４６】
このように構成されるパケット並行受信回路５４０の動作は、図６に示す説明図の通りである。尚、図６において、前述した第１の実施の形態における図３の説明と同様、番組データＡは、説明のため、「番組１」、「番組２」、及び「番組３」のパケットからなる放送データとして簡略化して示した。詳しくは、「番組１」、「番組２」、及び「番組３」のそれぞれに対応して、番組を表示するために必要な鍵情報などの個別情報のパケットを含む。また、各番組は、映像及び音声のパケットからなる。
【００４７】
次に、以上のように構成された受信装置５００の動作について、図面を参照しつつ説明する。ここでも、先の実施の形態の場合と同様、ディジタル衛星放送アンテナ１００及びディジタルＶＴＲ用記録媒体からのデータを同時に受信する場合、すなわちディジタルＶＴＲ２００を再生して「番組１」を視聴しているとき、ディジタル衛星放送アンテナから受信されるディジタル放送から「個別情報」を受信する場合について説明する。
【００４８】
ディジタルＶＴＲ２００で再生された放送データは、ディジタル放送データ受信装置５００の第２の受信回路５２０に入力される。この時、ディジタル衛星放送アンテナ１００で受信された放送データは、受信装置５００の第１の受信回路５１０に入力される。
第１の受信回路５１０及び第２の受信回路５２０は、入力された放送データを入力切替回路５３０に出力する。
【００４９】
次いで、入力切替回路５３０は、第１の受信回路５１０及び第２の受信回路５２０からの放送データを、「個別情報」、「番組４」、「番組５」、のパケットがランダムに並べられた状態の受信データＢとして、また、「番組１」、「番組２」、「番組３」のパケットがランダムに並べられた状態の番組データＡとして、これらをパケット並行受信回路５４０に出力する。
パケット並行受信回路５４０は、受信データＢ及び番組データＡが入力される。即ち、受信データＢを入力ＦＩＦＯ５４１に一時記憶し、番組データＡを入力選択回路５４２に入力する。
入力選択回路５４２は、通常状態で、番組データＡのパケット「番組１」を出力する（図６のＩ）。
【００５０】
パケット選別回路５４３は、入力選択回路５４２から出力された番組データＡのパケットが、視聴対象番組に関連するパケット「番組１」であれば、出力された番組データＡのパケットを選別して出力する（図６のＪ）。一方、視聴対象番組に関連するパケットでない「番組２」や「番組３」であれば、これらのパケットを破棄し、この破棄したことをパケット選別結果信号（図６のＧ）として入力選択回路５４２に通知する。
【００５１】
入力選択回路５４２は、パケット選別回路５４３よりパケット選別結果信号（図６のＧ）を受け、かつ入力ＦＩＦＯ５４１に１パケット以上のパケットが蓄積されている場合、入力ＦＩＦＯ５４１からの受信データＢのパケット「個別情報」の入力を選択して（図６のＨ）、「個別情報」のパケットを出力する（図６のＩ）。ここで、入力ＦＩＦＯ５４１は、上述のように２パケット程度のデータを蓄積できるものとしたので、受信データＢのパケット「個別情報」、「番組４」、「番組５」、「個別情報」、「番組５」などが順次入力されるが、入力選択回路５４２から選択される頻度によっては、受信データＢのすべてのパケットを一時記憶できず、取りこぼしてしまう事態も生じる（図６のＨ）。但し、一般に、個別情報が格納されたパケットは、同じ内容のパケットについて繰り返し送信されるので、多少の取りこぼしがあっても問題になることは考えにくく、また、この事態は、入力ＦＩＦＯ５４１の記憶容量を増やせば容易に解決できるものである。
【００５２】
パケット選別回路５４３は、入力選択回路５４２から出力された受信データＢのパケットが、個別情報を格納しているパケット「個別情報」であれば、これを選別して出力し、個別情報を格納していないパケット「番組４」や「番組５」であれば破棄する（図６のＪ）。
データ抽出回路５４４は、パケット選別回路５４３から出力されたパケットのうち、視聴番組に関連する番組放送データを収めたパケット「番組１」から、視聴番組の映像情報や音声情報などを取り出し、個別情報を収めたパケット「個別情報」からは個別情報を取り出して出力する。
【００５３】
メモリアクセス回路３５０は、データ抽出回路５４４で取り出された視聴番組に関連する番組放送データ及び受信必要データをメモリ３６０に記憶する。
ＡＶ伸張回路３８０は、メモリ３６０に記憶された映像情報及び音声情報をメモリアクセス回路３５０を介して読み出し、これらを伸張処理して出力する。
テレビ受像機４００は、ＡＶ伸張回路３８０で伸張処理された映像信号及び音声信号を表示出力する。
また、ＣＰＵ３７０も、視聴者の操作に応じてメモリ３６０に記録されたメール情報や受信装置５００の動作に関連する情報をメモリアクセス回路３５０を介して読み出し、これをＡＶ伸張回路３８０で再生して、テレビ受像機４００で表示する。
尚、ディジタルＶＴＲ２００の再生を終了して、ディジタル衛星放送アンテナ１００を介してディジタル放送を受信する際、ＣＰＵ３７０は、メモリアクセス回路３５０を介してメモリ３６０に記録された暗号解読のための鍵情報を読み出して、暗号化された放送データの暗号解読に使用することができる。
【００５４】
このように、本実施の形態による受信装置５００は、２系統のディジタル放送入力源からの放送データを受信し、パケット並行受信回路５４０において、パケット選別回路５４３は、入力選択回路５４２から番組放送データを入力し、視聴対象の番組に関連する情報の収められたパケットを取り出してこれを出力し、その他のパケットを破棄したときは、破棄したことを入力選択回路５４２に通知し、入力選択回路５４２では、受信した放送データを一時記憶した入力ＦＩＦＯ５４１からパケットを取り出して出力し、この出力からパケット選別回路５４３で個別情報のパケットのみを取り出すものとしたから、視聴番組を表示して視聴すると同時に、視聴していないディジタル放送により放送される暗号解読鍵や視聴者宛のメールなど取得する必要のある情報を取得して、視聴していなかったディジタル放送の視聴を再開したとき視聴に必要な情報が不足していたり、視聴していないディジタル放送から送信されるメールを取りこぼすなどの事態を回避することができる。
【００５５】
また、２パケット程度の容量を必要とする、番組放送データのための入力ＦＩＦＯを要せず、番組放送データ及び受信放送データからのパケット選別を単一のパケット選別回路で処理して、回路規模を抑えることができる。さらに、入力選択回路で、入力ＦＩＦＯへの読み込み速度より処理速度を上げることなく、処理能力を抑えることが可能である。
【００５６】
そして、他の放送データの受信中に受信取得した番組表や個人宛のメール等の情報は、この番組の視聴を終え、もう一方の放送データの受信時にＣＰＵが受信機を制御するためや、視聴者に番組表やメール等を提示する為に使うことが出来るだけでなく、他の放送の視聴中であっても、受信したもう一方の放送の最新番組表や、視聴者宛メールを、視聴中の番組に重ねて、又は視聴中の番組の画面表示を一時停止して、これらを提示することも考えられる。
【００５７】
尚、本実施の形態においても、先述の第１の実施の形態と同様、ディジタルＶＴＲを再生する際に、ディジタル衛星放送アンテナを介して受信するディジタル放送により送られる情報を並行して受信する場合に限定されるものではなく、ディジタル放送を視聴しながら他のディジタル放送により送られる情報を並行受信する場合にも適用可能であるとともに、これら２系統のディジタル放送入力源に限るものでなく、３つ以上のディジタル放送入力源からの放送データの並行受信についても、２つ以上の入力ＦＩＦＯと第２パケット選別回路を設け、入力選択回路を３入力以上に対応させることにより、３つ以上の放送データを並行受信して、同様の効果を得ることができる。
【００５８】
また、本実施の形態においても、ディジタル放送に含まれ、そのディジタル放送の番組を視聴していない場合でも受信して取得すべき情報が、個別情報である場合を説明したが、これは個別情報に限定されるものではなく、番組表など該ディジタル放送データ受信装置の動作に必要な情報を、他の放送データを視聴中に受信して取得するものであってもよい。
【００５９】
（実施の形態３）
次に、先述の第２の実施の形態で説明した受信装置５００におけるパケット並行受信回路５４０の構成を一部変えたものを用いた受信装置７００を、第３の実施の形態として、以下、図面を参照しつつ説明する。
本実施の形態による受信装置７００の構成は、上述した受信装置５００と全く同じ構成であるため、図４により説明する。また図７は、本実施の形態におけるパケット並行受信回路７１０の構成例を示すブロック図である。
【００６０】
まずパケット並行受信回路７１０の構成部材について説明する。尚、図７において、図５と同一符号は同一または相当部分であり、その説明は省略する。
第１のパケット選別回路５４５は、入力切替回路５３０から番組データＡを入力して、これを入力選択回路５４２に出力する。
第２のパケット選別回路５４６は、入力ＦＩＦＯ５４１から受信データＢを入力して、これを入力選択回路５４２に出力する。
入力選択回路５４２は、本実施の形態では、入力切替回路５３０ではなく第１パケット選別回路５４５から番組データＡを入力してこれをデータ抽出回路５４４に出力し、入力ＦＩＦＯ５４１ではなく第２のパケット選別回路５４６から受信データＢを入力して出力する。
【００６１】
図８は、図７に示したパケット並行受信回路の動作の説明図である。
図８において、第１の実施の形態、及び第２の実施の形態における説明と同様、番組データＡは、説明のため、「番組１」、「番組２」、及び「番組３」のパケットからなる放送データとして簡略化して示した。詳しくは、「番組１」、「番組２」、及び「番組３」のそれぞれに対応して、番組を表示するために必要な鍵情報などの個別情報のパケットを含む。また、各番組は、映像及び音声のパケットからなる。
【００６２】
次に、以上のように構成された受信装置７００の動作について、図４、図７、及び図８により説明する。ここで、本実施の形態においても、ディジタル衛星放送アンテナ１００及びディジタルＶＴＲ用記録媒体からのデータを同時に受信する場合、すなわちディジタルＶＴＲ２００を再生して「番組１」を視聴しているとき、ディジタル衛星放送アンテナ１００を介して受信する放送データから個別情報を受信する場合について説明する。
【００６３】
まず、先述の第２の実施の形態と同様にして、ディジタルＶＴＲ２００で再生された放送データは、受信装置７００の第２の受信回路５２０を介して、入力切替回路５３０から番組データＡとして出力される。この時、ディジタル衛星放送アンテナ１００で受信された放送データは、受信装置７００の第１の受信回路５１０を介して、入力切替回路５３０から受信データＢとして出力される。
【００６４】
パケット並行受信回路５４０は、受信データＢ及び番組データＡを入力する。即ち、受信データＢを入力ＦＩＦＯ５４１に一時記憶し、番組データＡを第１パケット選別回路５４５に入力する。
第１パケット選別回路５４５は、入力切替回路５３０から出力された番組データＡのパケットが、視聴対象番組に関連するパケット「番組１」であれば、これを選別して出力する（図８のＫ）。一方、視聴対象番組に関連するパケットでない「番組２」や「番組３」であれば、これらのパケットを破棄し、この破棄したことを示す第１パケット選別結果信号（図８のＬ）を“Ｈｉｇｈ”とし、この信号を入力選択回路５４２及び第２パケット選別回路５４６に出力する。
【００６５】
第２のパケット選別回路５４６は、第１パケット選別回路５４５から第１パケット選別結果信号を受けて、すなわち該第１パケット選別結果信号が“Ｈｉｇｈ”で（図８のＬ）、かつ入力ＦＩＦＯ５４１に１パケット以上のパケットが蓄積されている場合、入力ＦＩＦＯ５４１から受信データＢのパケットを取り出す（図８のＭ）。取り出したパケットが個別情報を収めたパケット「個別情報」であればこれを出力し、「番組４」や「番組５」であれば、これらを廃棄する（図８のＮ）。
【００６６】
ここで、入力ＦＩＦＯ５４１は、第２パケット選別回路５４６から選択される頻度によっては、受信データＢの全てのパケットを一時記憶できず、個別情報を取りこぼしてしまう事態も生じるが（図８のＭ）、第２の実施の形態の場合と同様、多少の取りこぼしがあっても問題になることは考えにくく、また、入力ＦＩＦＯ５４１の記憶容量を増やせばこの問題は容易に解決可能である。
【００６７】
入力選択回路５４２は、第１パケット選別結果信号が“Ｌｏｗ”の場合（図８のＬ）、第１パケット選別回路５４５から視聴対象番組の番組放送データが収められたパケット「番組１」を入力し、これをデータ抽出回路５４４にて出力する。また、第１パケット選別結果信号が“Ｈｉｇｈ”の場合（図８のＬ）、第２パケット選別回路５４６から「個別情報」のパケットを入力して、これをデータ抽出回路５４４に出力する（図８のＯ）。
データ抽出回路５４４は、入力選択回路５４２から出力されたパケットから、映像情報や音声情報を取り出し、暗号化されている場合には暗号を解読して出力し、また、個別情報やその他の情報を取り出して出力する。
【００６８】
その後、先述の第２の実施の形態と同様にして、メモリアクセス回路３５０は、データ抽出回路５４４で取り出された視聴番組に関連する情報及び鍵情報などの個別情報をメモリ３６０に記憶し、ＡＶ伸張回路３８０は、メモリ３６０に記録された映像及び音声情報をメモリアクセス回路３５０を介して読み出し、伸張処理して出力する。
また、ＣＰＵ３７０も、先述の第２の実施の形態と同様にして、視聴者の操作に応じてメモリ３６０に記録されたメール情報や該ディジタル放送データ受信装置５００の動作に関連する情報をメモリアクセス回路３５０を介して読み出し、これをＡＶ伸張回路３８０で再生して、テレビ受像機４００で表示する。
【００６９】
さらに、ディジタルＶＴＲ２００の再生を終了して、ディジタル衛星放送を受信する際にも、ＣＰＵ３７０は、先述した第２の実施の形態と同様、メモリアクセス回路３５０を介してメモリ３６０に記録された暗号解読のための鍵情報を読み出して、暗号化された放送データの暗号解読に使用することができる。
さらに、パケット並行受信回路７１０の構成を一部変えたものを用いた受信装置８００とした場合を、図面を参照しつつ説明する。
この受信装置８００の構成は、上述した受信装置５００と全く同じ構成であるため、図４により説明する。また図９は、パケット並行受信回路８１０の構成例を示すブロック図である。
【００７０】
図９において、図７と同一符号は同一または相当部分である。またパケット並行受信回路８１０の構成要素は図７に示したパケット並行受信回路７１０と全く同様である。但し、第２パケット選別回路５４６と入力ＦＩＦＯ５４１が入れ替わっている。即ち、第２パケット選別回路５４６は、入力ＦＩＦＯ５４１ではなく入力切替回路５４０から受信データＢを入力して入力ＦＩＦＯ５４１に出力し、入力ＦＩＦＯ５４１は、入力切替回路５４０ではなく第２パケット選別回路５４６から受信データＢを入力して入力選択回路５４２に出力する。また、第１パケット選別回路５４５は、第１パケット選別結果信号を第２パケット選別回路５４６へ出力しない。
図１０は、図９に示したパケット並行受信回路８１０の動作の説明図である。この図１０において、図８と同様、番組データＡは簡略化して示し、各番組も映像及び音声のパケットからなるものであるとする。
【００７１】
以上のように構成された受信装置８００の動作について、図７に示したパケット並行受信回路８１０を用いた場合と異なる動作を中心に、図４、図９、及び図１０により説明する。
受信データＢ及び番組データＡは、図７に示したパケット並行受信回路５４０を用いた場合と全く同様にして、図９のパケット並行受信回路８１０に入力される。ただし、番組データＡ及び受信データＢは、それぞれ第１パケット選別回路５４５及び第２パケット選別回路５４６に入力される。
【００７２】
第１パケット選別回路５４５は、入力された番組データＡのパケットが、視聴対象番組に関連するパケット「番組１」であれば、これを選別して出力する（図１０のＰ）。或いは、視聴対象番組に関連するパケットでない「番組２」や「番組３」であれば、これらのパケットを破棄し、この破棄したことを示す第１パケット選別結果信号（図１０のＱ）を入力選択回路５４２に出力する。
【００７３】
一方、第２パケット選別回路５４６は、入力された受信データＢのパケットが、個別情報を格納するパケット「個別情報」であれば入力ＦＩＦＯ５４１に一時記憶し、「番組４」や「番組５」であれば、これらを破棄する（図１０のＲ）。入力選択回路５４２は、第１パケット選別回路５４５が「番組１」に関連するパケットを選別したことを示す場合、すなわち第１パケット選別結果信号が“Ｌｏｗ”の場合（図１０のＱ）、第１パケット選別回路５４５から視聴対象番組の番組放送データを収めたパケット「番組１」を入力して、これをデータ抽出回路５４４に出力し（図１０のＴ）、第１パケット選別結果信号が“Ｈｉｇｈ”で（図１０のＱ）、かつ入力ＦＩＦＯ５４１に１パケット以上のデータが蓄積されている場合、入力ＦＩＦＯ５４１から「個別情報」を収めたパケットを読み出し（図１０のＳ）、これをデータ抽出回路５４４に出力する（図１０のＴ）。
【００７４】
その後は、図７に示したパケット並行受信回路５４０を用いた場合と全く同様にして、映像情報及び音声情報が表示出力される。また、メール情報や受信装置８００の動作に関連する情報も表示される。さらに、ディジタル衛星放送の受信時には、暗号解読のための鍵情報により暗号化された放送データの暗号解読を行うことができる。
【００７５】
このように、本実施の形態による受信装置は、２系統のディジタル放送入力源からの放送データを受信して、パケット並行受信回路において、入力選択回路は、第１パケット選別回路で番組放送データから取り出された視聴対象の番組に関連する情報のパケットを入力して出力し、その他のパケットが該第１パケット選別回路で破棄されたとき、第２パケット選別回路は、受信放送データを一時記憶する入力ＦＩＦＯに蓄積されたパケットから、個人情報のパケットのみを取り出して、これを入力選択回路が出力するものとしたから、視聴番組を表示して視聴すると同時に、視聴していないディジタル放送により放送される暗号解読鍵や視聴者宛のメールなど取得する必要のある情報を取得して、視聴していなかったディジタル放送の視聴を再開したとき視聴に必要な情報が不足していたり、視聴していないディジタル放送から送信されるメールを取りこぼすなどの事態を回避することができる。また、２パケット程度の容量を必要とする、番組放送データのための入力ＦＩＦＯを要せず、入力ＦＩＦＯ削減により回路削減効果を上げることができる。
【００７６】
また、上述したパケット並行受信回路において、入力ＦＩＦＯは、第２パケット選別回路で、受信放送データより取り出された個人情報のパケットを一時記憶し、入力選択回路は、第１パケット選別回路で、番組放送データより取り出された、視聴対象の番組に関連する情報のパケットを出力し、該第１パケット選別回路で、その他のパケットが破棄されたとき、上記入力ＦＩＦＯに蓄積されたパケットを取り出して出力するものとしたから、必要なパケットを選別した後でこれを入力ＦＩＦＯに一時記憶することにより、視聴番組データに含まれる視聴対象の番組のパケットが多くなった場合でも、入力ＦＩＦＯが溢れることを抑えて、取得すべき情報をより確実に受信することができる。
【００７７】
そして、他の放送データの受信中に受信取得した番組表や個人宛のメール等の受信必要データは、この番組の視聴を終え、もう一方の放送データの受信時にＣＰＵが受信機を制御するためや、視聴者に番組表やメール等を提示する為に使うことが出来るだけでなく、他の放送の視聴中であっても、受信したもう一方の放送の最新番組表や、視聴者宛メールを、視聴中の番組に重ねて、又は視聴中の番組の画面表示を一時停止して、これらを提示することも考えられる。
【００７８】
尚、本実施の形態でも、上述した第１及び第２の実施の形態と同様、ディジタルＶＴＲを再生する際に、ディジタル衛星放送により送られる情報を並行して受信する場合に限定されるものではなく、ディジタル放送を視聴しながら他のディジタル放送により送られる情報を並行受信する場合にも適用可能であるとともに、これら２系統のディジタル放送入力源に限るものでなく、３つ以上のディジタル放送入力源からの放送データの並行受信についても、２つ以上の第２〜第ｎ（ｎ≧３）パケット選別回路、及びこれらのパケット選別回路にそれぞれ対応する入力ＦＩＦＯを設け、入力選択回路を３入力以上に対応させることにより、３つ以上の放送データを並行受信して、同様の効果を得ることができる。この場合、ディジタル放送入力源の数に応じてデータ抽出回路の処理速度を上げるものとすれば、より確実に処理することができる。
【００７９】
さらに、図７に示した受信装置において３つ以上のディジタル放送入力源から放送データを並行受信する場合には、第１パケット選別回路でパケットが破棄されたことを示す、第１パケット選別結果信号Ｌが入力された第２〜第ｎパケット選別回路及び入力選択回路は、以下の動作をする必要がある。すなわち、第２〜第ｎパケット選別回路では、それぞれ対応する入力ＦＩＦＯにパケットが１つ以上記憶されていれば、その入力ＦＩＦＯからパケットを取り出し、個別情報のパケットを選別する。また、入力選択回路は、第２〜第ｎパケット選別回路のうち、個別情報のパケットを選別したもののいずれか一つを選択し、選択されたパケット選別回路からパケットを取り出す。個別情報のパケットを選別し、かつ選択されなかったパケット選別回路は、入力選択回路に選択されるまで、次の第１パケット選別結果信号Ｌが入力されても、次のパケットの選別処理を行わず待機する。このような動作によれば、第２〜第ｎパケット選別回路で選別されたパケットを、確実に入力選択回路へ入力することができる。
【００８０】
また、本実施の形態においても、ディジタル放送に含まれ、そのディジタル放送の番組を視聴していない場合でも受信して取得すべき情報が、個別情報である場合を説明したが、これは個別情報に限定されるものではなく、番組表など、ディジタル放送データ受信装置の動作に必要な情報を、他の放送データを視聴中に受信して取得するものであってもよい。
【００８１】
（実施の形態４）
さらに本発明に係る受信装置を、いわゆるＶＴＲの裏番組録画に利用可能とした受信装置９００を、第４の実施の形態として、図面を参照しつつ説明する。
図１１は、受信装置９００の構成を示すブロック図である。この図を参照しつつ寿新装置９００の説明をする。尚、図１１において、図１と同一符号は同一または相当部分であるので、その説明を省略する。
パケット並行受信回路６４０は、第１の受信回路３１０からの受信データＢ、及び第２の受信回路３２０からの番組データＡから、それぞれデータを並行して取り出し、番組データＡから取り出したデータと、受信データＢから取り出したデータをそれぞれメモリアクセス回路３５０に出力する。
記録用ディジタルＶＴＲ６００は、パケット並行受信回路６４０から出力された受信データを記録する。
メモリアクセス回路３５０は、パケット並行受信回路３４０から出力された番組データをメモリに書き込み記録する。
メモリ３６０は、パケット並行受信回路３４０からの番組データがメモリアクセス回路３５０により書き込み記録される。
【００８２】
次に、パケット並行受信回路６４０について、図１２に示した、パケット並行受信回路６４０の詳細な構成のブロック図を参照しつつ説明するが、図１２において、図２と同一符号は同一または相当部分であるので、その説明を省略する。
パケット選別回路６４４は、番組データＡから視聴番組に関連する番組放送データを収めたパケットを選別しデータ抽出回路３４５に出力し、受信データＢから記録すべき番組の番組放送データを収めたパケットを選別し、記録用ディジタルＶＴＲ７００へ出力する。
データ抽出回路３４５は、パケット選別回路３４４で選別されたパケットから映像情報や音声情報その他の情報を取り出したり、暗号解読などを行う。
【００８３】
次に、以上のように構成される受信装置９００の動作について、図面を参照しつつ説明する。図１３は、図１２に示したパケット並行受信回路６４０の動作の説明図である。この図１３において、番組データＡは、説明のため、「番組１」、「番組２」、及び「番組３」のパケットからなる放送データとして簡略化して示したが、詳しくは、「番組１」、「番組２」、及び「番組３」のそれぞれに対応して、番組を表示するために必要な鍵情報などの個別情報のパケットを含む。また、各番組は、映像及び音声のパケットからなる。受信データＢは、説明のため、「番組４」、「番組５」、及び「番組６」のパケットからなる放送データとして簡略化して示したが、詳しくは、「番組４」、「番組５」、及び「番組６」のそれぞれに対応して、番組を表示するために必要な鍵情報などの個別情報のパケットを含む。また、各番組は、映像及び音声のパケットからなる。
【００８４】
そして、本実施の形態では、ディジタル衛星放送アンテナ１００及びディジタルＶＴＲ用記録媒体からのデータを同時に受信し、ディジタルＶＴＲ２００を再生している際に、ディジタル衛星放送アンテナを介して受信するディジタル放送の番組を記録する場合について説明する。
ディジタルＶＴＲ２００で再生された放送データは、ディジタル放送データ受信装置９００の第２の受信回路３２０に入力される。この時、ディジタル衛星放送アンテナ１００で受信された放送データは、ディジタル放送データ受信装置９００の第１の受信回路３１０に入力される。
【００８５】
第１の受信回路３１０及び第２の受信回路３２０は、入力された放送データを、それぞれ受信データＢ及び番組データＡとしてパケットへ行こう受信回路６４０に出力する。例えば、図１３のように、「番組１」、「番組２」、「番組３」のパケットがランダムに並べられた番組データＡと、「番組４」、「番組５」、「番組６」のパケットがランダムに並べられた受信データＢと、が出力される。
パケット並行受信回路３４０は、受信データＢ及び番組データＡを入力し、それぞれ第１の入力ＦＩＦＯ３４１、及び第２の入力ＦＩＦＯ３４２に順次記憶する。
第１のＦＩＦＯ３４１、及び第２のＦＩＦＯ３４２は、それぞれ１パケット以上のデータが蓄積されると、入力選択回路３４３に読み出し要求を出す。
入力選択回路３４３は、第１のＦＩＦＯ３４１からの読み出し要求に応じ、受信データＢのパケットを第１の入力ＦＩＦＯ３４１から読み出し、また、第２のＦＩＦＯ３４２からの読み出し要求に応じ、番組データＡのパケットを第２の入力ＦＩＦＯ３４２から読み出して、これらをパケット選別回路６４４に出力する。
【００８６】
この時、出力されるパケットは、ＰＩＤ（パケット識別子）によってのみ区別され、異なるディジタル放送入力源からの同じＰＩＤを有するパケットは区別できないので、入力選択回路３４３は、読み出すパケットがいずれのディジタル放送入力源からのものか区別して出力する。尚、パケットの読み出し速度は、第１の入力ＦＩＦＯ３４１又は第２の入力ＦＩＦＯ３４２へのデータ書き込み速度のうち、速い方の２倍以上とする。これによれば、番組データＡ及び受信データＢの双方のパケットを漏れなく読み出すことができる。
【００８７】
例えば、図１３において、第１の入力ＦＩＦＯの出力Ｃ、第２の入力ＦＩＦＯの出力Ｄ、及び入力選択回路の出力Ｅが示すように、第１の入力ＦＩＦＯ３４１に「番組１」のパケットのデータが蓄積されると、入力選択回路３４３は、第１の入力ＦＩＦＯ３４１からの読み出し要求に応じ、「番組１」のパケットを第１の入力ＦＩＦＯ３４１から読み出して、これをパケット選別回路６４４に出力し、次に、第２の入力ＦＩＦＯ３４２に「番組６」のパケットのデータが蓄積されて、第２の入力ＦＩＦＯ３４２から読み出し要求が出されると、入力回路３４３は、「番組６」のパケットを第２の入力ＦＩＦＯ３４２から読み出して、これをパケット選別回路６４４に出力する。
従って、入力選択回路３４３からは、第１の入力ＦＩＦＯ３４１及び第２の入力ＦＩＦＯ３４２から読み出されたパケットが時間的に多重されて出力されることになる。
【００８８】
パケット選別回路３４４は、番組データＡから視聴対象番組に関連する番組放送データを収めたパケット、即ち視聴対象番組の映像及び音声のパケット、並びに該番組の暗号解読用の鍵情報などの個別情報を収めたパケットを、受信データＢから記録対象番組に関連するパケットをそれぞれ選別して出力する。
例えば、図１３において、入力選択回路の出力Ｅ、及びパケット選別回路の出力Ｆ、Ｕが示すように、番組データＡの、「番組１」、「番組２」、「番組１」、「番組２」、「番組３」などのようにランダムに並べられたパケットから、視聴対象番組の番組放送データや個別情報の収められたパケット（ここでは「番組１」とする。）を選別してデータ抽出回路３４５へ出力し、受信データＢの「番組６」、「番組４」、「番組５」、「番組６」、「番組５」などのパケットから、記録対象番組の番組放送データや個別情報の収められたパケット（ここでは「番組６」とする。）を選別して、記録用ディジタルＶＴＲ６００へ出力する。
【００８９】
尚、視聴対象番組や記録対象番組について、ユーザにより選択された番組がＣＰＵ３７０によってパケット並行受信回路３４０のパケット選別回路３４４に指示される。
データ抽出回路３４５は、選別された視聴対象番組に関連するパケットから、映像情報や音声情報などを取り出し、個別情報を収めたパケットからは、個別情報を取り出して、暗号化されている映像情報や音声情報に対してはＣＰＵ３７０より設定された暗号解読用鍵を使用して暗号を解読して出力する。
メモリアクセス回路３５０は、データ抽出回路３４５で取り出された視聴番組に関連する情報及び鍵情報などの個別情報をメモリ３６０に記憶する。
ＡＶ伸張回路３８０は、メモリ３６０に記録された映像及び音声情報をメモリアクセス回路３５０を介して読み出し、伸張処理して出力する。
テレビ受像機４００は、ＡＶ伸張回路３８０で伸張処理された映像信号及び音声信号を表示出力する。
また、ＣＰＵ３７０も、視聴者の操作に応じてメモリ３６０に記録されたメール情報や受信装置９００の動作に関連する情報をメモリアクセス回路３５０を介して読み出し、これをＡＶ伸張回路３８０で再生して、テレビ受像機４００で表示する。
【００９０】
尚、ディジタルＶＴＲ２００の再生を終了して、ディジタル衛星放送アンテナ１００を介してディジタル放送を受信する際、ＣＰＵ３７０は、メモリアクセス回路３５０を介してメモリ３６０に記録された暗号解読のための鍵情報を読み出して、暗号化された放送データの暗号解読に使用することができる。
一方、記録用ディジタルＶＴＲ７００へ出力された「番組６」を構成するパケットは、記録用ディジタルＶＴＲ７００に記録される。これにより、「番組１」の視聴中に別の放送データから受信された「番組６」を記録することができる。
【００９１】
このように、本実施の形態による受信装置は、２系統のディジタル放送入力源からの放送データを受信して、パケット並行受信回路において、２系統のディジタル放送入力源からの放送データをそれぞれ入力して一時記憶する２つの入力ＦＩＦＯのうち、１つ以上のパケットが蓄積されたものから、入力選択回路が順次パケットを取り出し、その中からパケット選別回路が視聴対象の番組に関係する情報及び記録対象の番組に関連する情報を取り出すものとしたから、視聴番組を表示して視聴すると同時に、視聴していないディジタル放送により放送される番組を同時に記録することができる。
【００９２】
また、上記視聴対象の番組に関する情報を取り出す放送データは、ディジタルＶＴＲで再生されたものとしたから、ディジタルＶＴＲ用記録媒体に記録された放送データに含まれる視聴番組を表示して視聴すると同時に、視聴していないディジタル放送により放送される別の番組を記録することができる。
また、上記入力選択回路は、上記２つの入力ＦＩＦＯのうち、書き込み速度の速い方の２倍以上の高速で読み出すものとしたから、入力される２系統のデータから取り出すべきパケットを取りこぼすことがない。
【００９３】
尚、本実施の形態においては、ディジタルＶＴＲを再生する際に、ディジタル衛星放送により送られる情報を並行して受信する場合を説明したが、ディジタルＶＴＲの再生に限定されるものではなく、ディジタル放送を視聴しながら他のディジタル放送により送られる情報を並行受信する場合にも適用可能であるとともに、番組データ及び受信データの双方に一つのディジタル放送により放送される情報を入力することにより、一つのディジタル放送を構成する複数の番組の内、ある番組を視聴しながら、他の番組を記録する場合にも適用可能である。また、２系統のディジタル放送入力源からの放送データを並行して受信する場合に限るものでなく、３つ以上のディジタル放送入力源からの放送データの並行受信についても、３つ以上の入力ＦＩＦＯを設け入力選択回路を３入力以上に対応させることにより、３つ以上の放送データを並行受信して、同様の効果を得ることができる。尚、入力選択回路は、複数の入力ＦＩＦＯへの書き込み速度の最大値に入力ＦＩＦＯの数を掛けたデータ読み出し速度でデータを読み出すことで、パケットを取りこぼすことを回避できる。
【００９４】
【発明の効果】
以上のように、本発明の請求項１に係るディジタル放送データ受信装置によれば、複数のディジタル放送データ源からのディジタル放送データを受信して、視聴対象の番組に関する情報が多重されたディジタル放送データから視聴対象の番組に関する情報を取り出し、他のディジタル放送データ源からのディジタル放送データから、視聴時以外にも取得すべき情報を取り出すものとし、並行受信手段において、複数のディジタル放送データ源からのディジタル放送データをそれぞれ入力して一時記憶する複数の入力記憶手段のうち、１つ以上のパケットが蓄積されたものから順次取り出し、その中からパケット選別手段が視聴対象の番組に関する情報及び取得すべき情報のパケットのみを取り出すものとしたから、ディジタル放送データ源から入力される、視聴番組データと並行して受信するデータの各々から、必要とされるパケットを同時に並行して取り出すことができるため、視聴者が視聴する視聴番組を表示して、これを視聴すると同時に、他のディジタル放送データ源より入力される、視聴時以外にも取得すべき情報を取得することで、視聴していなかったディジタル放送の視聴を再開したとき視聴に必要な情報が不足していたり、視聴していないディジタル放送から送信されるメールを取りこぼすなどの事態を回避することができる。
【００９５】
請求項２に係るディジタル放送データ受信装置によれば、複数のディジタル放送データ源は、例えばディジタルＶＴＲのような、ディジタル放送データの記録及び再生が可能なディジタルデータ記録再生装置を含み、これによって再生されたディジタル放送データから、視聴対象の番組に関係する情報を取り出すものとしたから、記録媒体に記録されたディジタル放送データに含まれる視聴番組を表示して視聴すると同時に、視聴していないディジタル放送により放送される取得すべき情報を取得して、ディジタル放送の視聴を再開したとき視聴に必要な情報が不足していたり、ディジタルＶＴＲで再生された番組を視聴中にディジタル放送から送信されるメールを取りこぼすなどの事態を回避することができる効果がある。
【００９７】
請求項３に係るディジタル放送データ受信装置によれば、入力選択手段は、複数の入力記憶手段でのデータ読み込み速度の平均値に、これら入力記憶手段の数を掛けた値以上の高速で読み出すものとしたから、入力される複数のディジタル放送データ源からのディジタル放送データから取り出すべきパケットを取りこぼすことがない。
【００９８】
請求項４に係るディジタル放送データ受信装置によれば、入力選択手段は、番組放送データが一時記憶される入力記憶手段に１つ以上のパケットが蓄積されているとき、その入力記憶手段を優先して選択して蓄積されたパケットを取り出すものとしたから、視聴対象の番組に関する情報のパケットについて漏れなく読み出して、番組を表示することができる。
【００９９】
請求項５に係るディジタル放送データ受信装置によれば、パケット並行受信手段では、パケット選別手段は、入力選択手段から番組放送データを入力し、視聴対象の番組に関連する情報のパケットを取り出して出力し、その他のパケットを破棄したときは、その入力選択手段に通知し、入力選択手段では、一又は複数のディジタル放送データ源からの受信放送データをそれぞれ一時記憶した一又は複数の入力記憶手段のいずれかからパケットを取り出して出力し、この出力から取得すべき情報の収められたパケットのみを取り出すものとしたから、番組放送データ及び受信放送データの各々から必要とされるパケットを同時に並行して取り出すことができ、また、２パケット程度の容量を必要とする、番組放送データのための手段を要せず、番組放送データ及び受信放送データからのパケット選別を単一の手段で処理して、回路規模を抑えることができ、さらに、入力選択手段で、入力記憶手段への読み込み速度より処理速度を上げることなく、処理能力を抑えることができる。
【０１００】
請求項６に係るディジタル放送データ受信装置によれば、並行受信手段では、入力選択回路は、必要パケット選別回路で番組放送データから取り出された視聴対象の番組に関連する情報の収められたパケットを入力して出力し、その他のパケットが破棄されたときには、一又は複数の入力記憶手段に蓄積された受信放送データのパケットからそれぞれ取り出された、取得すべき情報の収められたパケットのいずれかを出力するものとしたから、番組放送データと受信放送データの各々から必要とされるパケットを同時並行して取り出すことができ、また、２パケット程度の容量を必要とする、番組放送データのための入力ＦＩＦＯを要せず、入力ＦＩＦＯ削減により回路削減効果を上げることができる効果がある。
【０１０１】
請求項７に係るディジタル放送データ受信装置によれば、並行受信手段では、１又は複数の入力記憶手段は、対応する１又は複数の手段で、受信放送データより取り出された、取得すべき情報のパケットを一時記憶し、入力選択手段は、番組放送データより取り出された、視聴対象の番組に関連する情報のパケットを出力し、またその他のパケットが破棄されたとき、入力記憶手段のいずれかを選択して蓄積されたパケットを取り出して出力するものとしたから、視聴番組データと、並行して受信したデータの各々から必要とされるパケットを、同時に並行して取り出すことができ、また、必要な情報を選別した後でこれを一時記憶することにより、視聴番組データに含まれる視聴対象の番組のパケットが多くなった場合でも、入力記憶手段が溢れることを抑えて、取得すべき情報をより確実に受信することができる。
【図面の簡単な説明】
【図１】第１の実施の形態に係るディジタル放送データ受信装置の構成を示すブロック図である。
【図２】図１に示したパケット並行受信回路の詳細な構成例を示すブロック図である。
【図３】図２に示したパケット並行受信回路の動作説明図である。
【図４】第２の実施の形態及び第３の実施の形態によるディジタル放送データ受信装置の構成を示すブロック図である。
【図５】第２の実施の形態において用いるパケット並行受信回路の構成例を示すブロック図である。
【図６】図５に示したパケット並行受信回路の動作説明図である。
【図７】第３の実施の形態において用いるパケット並行受信回路の一の構成例を示すブロック図である。
【図８】図７に示したパケット並行受信回路の動作説明図である。
【図９】第３の実施の形態において用いるパケット並行受信回路の別の構成例を示すブロック図である。
【図１０】図９に示したパケット並行受信回路の動作説明図である。
【図１１】第４の実施の形態によるディジタル放送データ受信装置の構成を示すブロック図である。
【図１２】図１１に示したパケット並行受信回路の詳細な構成例を示すブロック図である。
【図１３】図１２に示したパケット並行受信回路の動作説明図である。
【符号の説明】
１００  ディジタル衛星放送アンテナ
２００  ディジタルＶＴＲ
３００、５００、７００、８００、９００  ディジタル放送データ受信装置
３１０、５１０  第１の受信回路
３２０、５２０  第２の受信回路
３４０、５４０、７１０、８１０  パケット並行受信回路
３４１  第１のＦＩＦＯ
３４２  第２のＦＩＦＯ
３４３、５４２  入力選択回路
３４４、５４３、６４４  パケット選別回路
３４５、５４４  データ抽出回路
３５０  メモリアクセス回路
３６０  メモリ
３７０  ＣＰＵ
３８０  ＡＶ伸張回路
４００  テレビ受像機
５３０  入力切替回路
５４１  入力ＦＩＦＯ
５４５  第１パケット選別回路
５４６  第２パケット選別回路
６００  記録用ディジタルＶＴＲ
【図１】
0003626633.tif 000002
【図２】
0003626633.tif 000003
【図３】
0003626633.tif 000004
【図４】
0003626633.tif 000005
【図５】
0003626633.tif 000006
【図６】
0003626633.tif 000007
【図７】
0003626633.tif 000008
【図８】
0003626633.tif 000009
【図９】
0003626633.tif 000010
【図１０】
0003626633.tif 000011
【図１１】
0003626633.tif 000012
【図１２】
0003626633.tif 000013
【図１３】
0003626633.tif 000014